(57)【要約】【課題】従来の電子機器において実行されていた文字入力を操作性の面で改善すること。【解決手段】１つの態様において、電子機器は、複数の第１の物理キーと前記第１の物理キーに対応付けられた複数の第２の物理キーとを含む筐体と、前記第１の物理キー及び前記第２の物理キーの操作に基づいて処理を実行するコントローラとを備える。複数の前記第１の物理キーは、前記筐体の第１の縁に沿って並び、複数の前記第２の物理キーは、前記筐体の第２の縁に沿って並ぶ。前記コントローラは、前記第１の物理キーへの操作を検出すると、前記第１の物理キーに対応付けられている前記第２の物理キーのそれぞれに、前記第２の物理キーに紐付けられている少なくとも１つの文字を割り当てる。【選択図】図１
2020057444.tif 000002
【特許請求の範囲】
【請求項１】
複数の第１の物理キーと前記第１の物理キーに対応付けられた複数の第２の物理キーとを含む筐体と、
前記第１の物理キー及び前記第２の物理キーの操作に基づいて処理を実行するコントローラと
を備え、
複数の前記第１の物理キーは、前記筐体の第１の縁に沿って並び、
複数の前記第２の物理キーは、前記筐体の第２の縁に沿って並ぶ
電子機器。
【請求項２】
前記コントローラは、
前記第１の物理キーへの操作を検出すると、前記第１の物理キーに対応付けられている前記第２の物理キーのそれぞれに、前記第２の物理キーに紐付けられている少なくとも１つの文字を割り当てる請求項１に記載の電子機器。
【請求項３】
筐体と、
前記筐体の第１の縁に沿って並ぶ複数の第１の物理キーと、
前記筐体の第２の縁に沿って並ぶ複数の第２の物理キーと
を備える電子機器が実行する文字入力制御方法であって、
前記第１の物理キーへの操作を検出すると、前記第１の物理キーに対応付けられている前記第２の物理キーのそれぞれに、前記第２の物理キーに紐付けられている少なくとも１つの文字を割り当てるステップを含む文字入力制御方法。
【請求項４】
筐体と、
前記筐体の第１の縁に沿って並ぶ複数の第１の物理キーと、
前記筐体の第２の縁に沿って並ぶ複数の第２の物理キーと
を備える電子機器に、
前記第１の物理キーへの操作を検出すると、前記第１の物理キーに対応付けられている前記第２の物理キーのそれぞれに、前記第２の物理キーに紐付けられている少なくとも１つの文字を割り当てるステップを実行させる文字入力制御プログラム。
【発明の詳細な説明】
【技術分野】
【０００１】
本出願は、電子機器、文字入力制御方法、及び文字入力制御プログラムに関する。
【背景技術】
【０００２】
電子機器には、物理キー及びタッチスクリーンなどを搭載したものがある。例えば、特許文献１には、物理キー及びタッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
従来の電子機器において実行されていた文字入力には、操作性の面で改善の余地がある。
【課題を解決するための手段】
【０００５】
１つの態様に係る電子機器は、複数の第１の物理キーと前記第１の物理キーに対応付けられた複数の第２の物理キーを含む筐体と、前記第１の物理キー及び前記第２の物理キーの操作に基づいて処理を実行するコントローラとを備える。複数の前記第１の物理キーは、前記筐体の第１の縁に沿って並び、複数の前記第２の物理キーは、前記筐体の第２の縁に沿って並ぶ。
【０００６】
１つの態様に係る文字入力制御方法は、筐体と、前記筐体の第１の縁に沿って並ぶ複数の第１の物理キーと、前記筐体の第２の縁に沿って並ぶ複数の第２の物理キーとを備える電子機器が実行する。前記文字入力制御方法は、前記第１の物理キーへの操作を検出すると、前記第１の物理キーに対応付けられている前記第２の物理キーのそれぞれに、前記第２の物理キーに紐付けられている少なくとも１つの文字を割り当てるステップを含む。
【０００７】
１つの態様に係る文字入力制御プログラムは、筐体と、前記筐体の第１の縁に沿って並ぶ複数の第１の物理キーと、前記筐体の第２の縁に沿って並ぶ複数の第２の物理キーとを備える電子機器に次のステップを実行させる。前記文字入力制御プログラムは、前記電子機器に、前記第１の物理キーへの操作を検出すると、前記第１の物理キーに対応付けられている前記第２の物理キーのそれぞれに、前記第２の物理キーに紐付けられている少なくとも１つの文字を割り当てるステップを実行させる。
【図面の簡単な説明】
【０００８】
【図１】図１は、実施形態に係る電子機器の機能構成の一例を示すブロック図である。
【図２】図２は、実施形態に係るキーユニットの配置例を示す図である。
【図３】図３は、実施形態に係るタッチスクリーンの配置例を示す図である。
【図４】図４は、実施形態に係るタッチスクリーンの構造の一例を示す図である。
【図５】図５は、実施形態に係る第１キーデータの一例を示す図である。
【図６】図６は、実施形態に係る第２キーデータの一例を示す図である。
【図７】図７は、実施形態に係る第１キーデータの他の例を示す図である。
【図８】図８は、実施形態に係る第２キーデータの他の例を示す図である。
【図９】図９は、実施形態に係る文字入力処理の実行画面の一例を示す図である。
【図１０】図１０は、実施形態に係る文字入力処理に伴う画面遷移を示す概要図である。
【図１１】図１１は、実施形態に係る文字入力処理に伴う画面遷移を示す概要図である。
【図１２】図１２は、実施形態に係る文字入力処理に伴う画面遷移を示す概要図である。
【図１３】図１３は、実施形態に係る文字入力処理の実行画面の他の例を示す図である。
【図１４】図１４は、実施形態に係る文字入力処理に伴う画面遷移を示す概要図である。
【図１５】図１５は、実施形態に係る電子機器により実行される処理の流れの一例を示すフローチャートである。
【図１６】図１６は、実施形態に係る電子機器が備える複数の物理キーの他の配置例を示す図である。
【図１７】図１７は、実施形態に係る電子機器が備える複数の物理キーの他の配置例を示す図である。
【図１８】図１８は、実施形態に係る電子機器が備える物理キーの操作面に関する他の構造例を示す図である。
【図１９】図１９は、実施形態に係る電子機器が備える物理キーの操作面に関する他の構造例を示す図である。
【図２０】図２０は、実施形態に係る電子機器の機能構成の他の例を示す図である。
【図２１】図２１は、実施形態に係る電子機器の他の構造例を示す図である。
【図２２】図２２は、実施形態に係る電子機器の他の構造例を示す図である。
【図２３】図２３は、実施形態に係る電子機器の他の構造例を示す図である。
【図２４】図２４は、実施形態に係る電子機器の他の構造例を示す図である。
【図２５】図２５は、実施形態に係る電子機器の他の構造例を示す図である。
【図２６】図２６は、実施形態に係る電子機器の他の構造例を示す図である。
【図２７】図２７は、実施形態に係る電子機器の他の構造例を示す図である。
【図２８】図２８は、実施形態に係る電子機器の他の構造例を示す図である。
【発明を実施するための形態】
【０００９】
本出願に係る電子機器、文字入力制御方法、及び文字入力制御プログラムを実施するための複数の実施形態を、図面を参照しつつ詳細に説明する。
【００１０】
本出願に係る電子機器は、スマートフォン、モバイルフォン、タブレット、携帯型パソコン、メディアプレイヤ、電子書籍リーダ、ナビゲータ、ウエアラブルデバイス、又はゲーム機等の機器であってよい。
【００１１】
図１は、実施形態に係る電子機器の機能構成の一例を示すブロック図である。以下の説明において、同様の構成要素について同一の符号を付すことがある。以下の説明において、重複する説明は省略することがある。
【００１２】
図１に示すように、電子機器１は、タッチスクリーンディスプレイ２と、物理キーユニット３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、モーションセンサ１５とを含む。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１５】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１６】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
タッチスクリーン２Ｂの検出方式は、静電容量方式、抵抗膜方式、表面弾性波方式、赤外線方式、及び荷重検出方式等の任意の方式でよい。
【００１８】
物理キーユニット３は、ユーザからの操作入力を受け付ける。物理キーユニット３は、第１キーユニット３ａ、第２キーユニット３ｂ、第３キーユニット３ｃ、及びタッチスクリーン３ｄを有する。
【００１９】
図２及び図３を用いて、実施形態に係る物理キーユニットの配置例を説明する。図２は、実施形態に係るキーユニットの配置例を示す図である。図３は、実施形態に係るタッチスクリーンの配置例を示す図である。
【００２０】
実施形態に係る電子機器１は略直方体状の筐体１ｈを備え、電子機器１の平面は図２に示すように略長方形状の形態をなす。第１キーユニット３ａは、図２に示す物理キー３ａ１、・・・、物理キー３ａ１０の合計１０個の物理キーを含んで構成される。物理キー３ａ１、・・・、物理キー３ａ１０は、電子機器１の筐体１ｈの左辺側の縁Ｆ１に沿って、図２に示すｙ軸に平行な方向に１列に並んで配置される。第２キーユニット３ｂは、図２に示す物理キー３ｂ１、・・・、物理キー３ｂ１０の合計１０個の物理キーを含んで構成される。物理キー３ｂ１、・・・、物理キー３ｂ１０は、電子機器１の筐体１ｈの右辺側の縁Ｆ２に沿って、図２に示すｙ軸に平行な方向に１列に並んで配置される。第３キーユニット３ｃは、図２に示す物理キー３ｃ１、物理キー３ｃ２、及び物理キー３ｃ３の合計３個の物理キーを含んで構成される。物理キー３ｃ１、物理キー３ｃ２、及び物理キー３ｃ３は、電子機器１の筐体１ｈの底辺側の縁Ｆ３に沿って、図２に示すｘ軸に平行な方向に１列に並んで配置される。図２に示す第１キーユニット３ａ、第２キーユニット３ｂ、及び第３キーユニット３ｃのそれぞれを構成する物理キーの個数は一例であり、必ずしも、図２に示す例と同数の物理キーで構成されていなくてもよい。図２に示す例では、物理キー３ａ１、・・・、物理キー３ａ１０は、電子機器１の筐体１ｈの左辺側の縁Ｆ１に沿って配置されるが、タッチスクリーンディスプレイ２の輪郭を構成する１辺に沿った配置であってよい。同様に、物理キー３ｂ１、・・・、物理キー３ｂ１０は、タッチスクリーンディスプレイ２の輪郭を構成する１辺に沿った配置であってよい。同様に、物理キー３ｃ１、物理キー３ｃ２、及び物理キー３ｃ３は、タッチスクリーンディスプレイ２の輪郭を構成する１辺に沿った配置であってよい。
【００２１】
第１キーユニット３ａを構成する物理キー３ａ１、・・・、物理キー３ａ１０は、キーの押下を検出できる。第２キーユニット３ｂを構成する物理キー３ｂ１、・・・、物理キー３ｂ１０は、キーの押下を検出できる。第３キーユニット３ｃを構成する物理キー３ｃ１、物理キー３ｃ２、及び物理キー３ｃ３は、キーの押下を検出できる。第１キーユニット３ａ、第２キーユニット３ｂ、及び第３キーユニット３ｃを構成する各物理キーに対する押下の検出は、各物理キーが個別に行ってよい。第１キーユニット３ａ、第２キーユニット３ｂ、及び第３キーユニット３ｃを構成する各物理キーは、各物理キーの表面の質感を電子機器１の他の部材とは異なる質感を持つように構成してもよい。第１キーユニット３ａ、第２キーユニット３ｂ、及び第３キーユニット３ｃを構成する各物理キーは、各物理キーの表面の形状として、円柱型、直方体型、屋根型などの任意の形状を採用してよい。第１キーユニット３ａ、第２キーユニット３ｂ、及び第３キーユニット３ｃを構成する各物理キーは、２段階以上の押下が可能な構成であってよい。第１キーユニット３ａを構成する物理キー３ａ１、・・・、物理キー３ａ１０は、第１の物理キーの一例である。第２キーユニット３ｂを構成する物理キー３ｂ１、・・・、物理キー３ｂ１０は、第２の物理キーの一例である。
【００２２】
タッチスクリーン３ｄは、図３に示すように、タッチスクリーン３ｄａ、タッチスクリーン３ｄｂ、及びタッチスクリーン３ｄｃを含む。タッチスクリーン３ｄａは、図３に示すｙ軸に平行な方向に沿って、電子機器１の長手方向に延在するように第１キーユニット３ａの下に配置される。タッチスクリーン３ｄｂは、図３に示すｙ軸に平行な方向に沿って、電子機器１の長手方向に延在するように第２キーユニット３ｂの下に配置される。タッチスクリーン３ｄｃは、図３に示すｘ軸に平行な方向に沿って、電子機器１の短手方向に延在するように第３キーユニット３ｃの下に配置される。タッチスクリーン３ｄａは、第１キーユニット３ａに対する指などの導電性の物体の接触及び近接などを検出できる。タッチスクリーン３ｄｂは、第２キーユニット３ｂに対する指などの導電性の物体の接触及び近接などを検出できる。タッチスクリーン３ｄｃは、第３キーユニット３ｃに対する指などの導電性の物体の接触及び近接などを検出できる。
【００２３】
図４を用いて、実施形態に係るタッチスクリーン３ｄの構造の一例を説明する。図４は、実施形態に係るタッチスクリーンの構造の一例を示す図である。図４は、タッチスクリーン３ｄが備えるタッチスクリーンのうちのタッチスクリーン３ｄａの構造の一部を示している。図４に示すように、タッチスクリーン３ｄａは、複数の第１の電極４０ａ１と、複数の第２の電極４０ａ２とを含む。第１の電極４０ａ１は、タッチスクリーン３ｄａの短手方向に延在する。第２の電極４０ａ２は、タッチスクリーン３ｄａの長手方向に延在する。タッチスクリーン３ｄａは、複数の第１の電極４０ａ１と複数の第２の電極４０ａ２とを、格子状に交差させた状態で配置する。タッチスクリーン３ｄａは、複数の第１の電極４０ａ１と複数の第２の電極４０ａ２とが交差する各位置（検出点）で、第１キーユニット３ａに対する指などの接触又は近接を検出する。導電性の物体がタッチスクリーン３ｄａに接近すると、タッチスクリーン３ｄａと当該物体との間に容量結合が発生する。タッチスクリーン３ｄａは、容量結合を検出点で感知することにより、指などの導電性の物体の接触などを検出する。図４に示す例では、第１キーユニット３ａを構成する物理キー３ａ１、・・・、物理キー３ａ１０を設置するためのキーホール４０ａ３が設けられることを原因として、複数の第１の電極４０ａ１と複数の第２の電極４０ａ２とが格子状に交差されずに、不均一な状態で配置される箇所が存在するが、コントローラ１０による処理において検出点の校正を実行できる。タッチスクリーン３ｄの検出方式は、タッチスクリーン２Ｂと同様に、静電容量方式、抵抗膜方式、表面弾性波方式、赤外線方式、及び荷重検出方式等の任意の方式でよい。
【００２４】
コントローラ１０は、タッチスクリーン３ｄａの検出結果に基づいて、第１キーユニット３ａを構成する物理キー３ａ１、・・・、物理キー３ａ１０の中のいずれのキーが接触されたかを判別できる。コントローラ１０は、第１キーユニット３ａの検出結果に基づいて、第１キーユニット３ａを構成する物理キー３ａ１、・・・、物理キー３ａ１０の中のいずれのキーが押下されたかを判別できる。コントローラ１０は、タッチスクリーン３ｄｂの検出結果に基づいて、第２キーユニット３ｂを構成する物理キー３ｂ１、・・・、物理キー３ｂ１０の中のいずれのキーが接触されたかを判別できる。コントローラ１０は、第２キーユニット３ｂの検出結果に基づいて、第２キーユニット３ｂを構成する物理キー３ｂ１、・・・、物理キー３ｂ１０の中のいずれのキーが押下されたかを判別できる。コントローラ１０は、タッチスクリーン３ｄｃの検出結果に基づいて、第３キーユニット３ｃを構成する物理キー３ｃ１、物理キー３ｃ２、及び物理キー３ｃ３の中のいずれのキーが接触されたかを判別できる。コントローラ１０は、第３キーユニット３ｃの検出結果に基づいて、第３キーユニット３ｃを構成する物理キー３ｃ１、物理キー３ｃ２、及び物理キー３ｃ３の中のいずれのキーが押下されたかを判別できる。
【００２５】
コントローラ１０は、例えば、タッチスクリーン３ｄを介して、第１キーユニット３ａを構成する物理キーに対するタッチ、及び第２キーユニット３ｂを構成する物理キーに対するタッチの両方を検出した場合には、最新のタッチに対する処理を優先して実行できる。コントローラ１０は、第１キーユニット３ａを構成する物理キーに対するタッチ、及び第２キーユニット３ｂを構成する物理キーに対するタッチの両方を検出している状態で、タッチスクリーン２Ｂなどを介して、第１キーユニット３ａ及び第２キーユニット３ｂ以外へのタッチが検出された場合には、第１キーユニット３ａ及び第２キーユニット３ｂ以外へのタッチを無効な操作として取り扱うことができる。
【００２６】
コントローラ１０は、例えば、タッチスクリーン３ｄを介して、第１キーユニット３ａを構成する物理キー、及び第２キーユニット３ｂを構成する物理キーに対するロングタッチ、タップ、ダブルタップ、スライドなどのタッチジェスチャを検出してもよい。
【００２７】
照度センサ４は、照度を検出する。照度は、照度センサ４の測定面の単位面積に入射する光束の値である。照度センサ４は、例えば、ディスプレイ２Ａの輝度の調整に用いられる。
【００２８】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２９】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００３０】
レシーバ７は、コントローラ１０から送出される音信号を音として出力する。レシーバ７は、例えば、電子機器１にて再生される動画の音、音楽の音、及び通話時の相手の声を出力することができる。マイク８は、入力されるユーザの声等を音信号へ変換してコントローラ１０へ送信する。
【００３１】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３２】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００３３】
ストレージ９は、制御プログラム９Ａ、文字入力制御プログラム９Ｂ、第１キーデータ９Ｃ、第２キーデータ９Ｄ、条件データ９Ｅ、及び設定データ９Ｚなどを記憶できる。制御プログラム９Ａは、各種機能を提供するに際し、電子機器１が記憶する各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００３４】
制御プログラム９Ａは、電子機器１の各種動作に関する処理を実現するための機能をそれぞれ提供できる。制御プログラム９Ａが提供する機能には、照度センサ４の検出結果に基づいて、ディスプレイ２Ａの輝度を調整する機能が含まれる。制御プログラム９Ａが提供する機能には、近接センサ５の検出結果に基づいて、タッチスクリーン２Ｂに対する操作を無効とする機能が含まれる。制御プログラム９Ａが提供する機能には、通信ユニット６、レシーバ７、及びマイク８等を制御することによって、通話を実現させる機能が含まれる。制御プログラム９Ａが提供する機能には、カメラ１２、及びカメラ１３の撮影処理を制御する機能が含まれる。制御プログラム９Ａが提供する機能には、コネクタ１４を介して接続される外部機器との間の通信を制御する機能が含まれる。制御プログラム９Ａが提供する機能には、タッチスクリーン２Ｂの検出結果に基づいて判別したジェスチャに応じて、ディスプレイ２Ａに表示されている情報を変更する等の各種制御を行う機能が含まれる。制御プログラム９Ａが提供する機能には、モーションセンサ１５の検出結果に基づいて、電子機器１を携帯する利用者の移動、停止等を検出する機能が含まれる。
【００３５】
文字入力制御プログラム９Ｂは、電子機器１において実行される文字入力を制御するための機能を提供できる。文字入力制御プログラム９Ｂは、例えば、第１キーユニット３ａを構成する複数の物理キーのいずれかのキーに対する操作を検出すると、操作が検出された物理キーに対応付けられている第２キーユニット３ｂを構成する複数の物理キーのそれぞれに、当該複数の物理キーに予め紐付けられている少なくとも１つの文字を割り当てる機能を提供できる。
【００３６】
第１キーデータ９Ｃは、第１キーユニット３ａを構成する複数の物理キーのそれぞれに予め割り当てられるキーの情報である。図５は、実施形態に係る第１キーデータの一例を示す図である。図５に示すように、第１キーデータ９Ｃには、第１キーユニット３ａを構成する物理キー３ａ１、・・・、物理キー３ａ１０のそれぞれに対して、「あ」、「か」、「さ」、「た」、「な」、「は」、「ま」、「や」、「ら」、「わ」の文字を割り当てることが設定されている。第１キーユニット３ａを構成する物理キー３ａ１、・・・、物理キー３ａ１０のそれぞれに対して割り当てられる「あ」、「か」、「さ」、「た」、「な」、「は」、「ま」、「や」、「ら」、「わ」の文字は、あ行、か行、さ行、た行、な行、は行、ま行、や行、ら行、わ行の各行を意味する。第１キーデータ９Ｃは、後述する文字入力処理において、第１キーユニット３ａを構成する物理キー３ａ１、・・・、物理キー３ａ１０のそれぞれに対応する出力を実行する際に利用される。
【００３７】
第２キーデータ９Ｄは、第２キーユニット３ｂを構成する複数の物理キーのそれぞれに予め割り当てられるキーの情報である。図６は、実施形態に係る第２キーデータの一例を示す図である。図６に示すように、第２キーデータ９Ｄは、第１キーユニット３ａを構成する物理キー３ａ１、・・・、物理キー３ａ１０のうち、操作が検出された物理キーごとに、第２キーユニット３ｂを構成する物理キー３ｂ１、・・・、物理キー３ｂ５に対する文字の割り当てを複数有する。例えば、第１キーユニット３ａを構成する物理キー３ａ１に対する操作が検出された場合（３ａ１＝あ）には、物理キー３ｂ１、・・・、物理キー３ｂ５のそれぞれに対して、「あ」、「い」、「う」、「え」、「お」の文字を割り当てることが設定されている。例えば、第１キーユニット３ａを構成する物理キー３ａ２に対する操作が検出された場合（３ａ２＝か）には、物理キー３ｂ１、・・・、物理キー３ｂ５のそれぞれに対して、「か」、「き」、「く」、「け」、「こ」の文字を割り当てることが設定されている。例えば、第１キーユニット３ａを構成する物理キー３ａ３に対する操作が検出された場合（３ａ３＝さ）には、物理キー３ｂ１、・・・、物理キー３ｂ５のそれぞれに対して、「さ」、「し」、「す」、「せ」、「そ」の文字を割り当てることが設定されている。例えば、第１キーユニット３ａを構成する物理キー３ａ４に対する操作が検出された場合（３ａ４＝た）には、物理キー３ｂ１、・・・、物理キー３ｂ５のそれぞれに対して、「た」、「ち」、「つ」、「て」、「と」の文字を割り当てることが設定されている。例えば、第１キーユニット３ａを構成する物理キー３ａ５に対する操作が検出された場合（３ａ５＝な）には、物理キー３ｂ１、・・・、物理キー３ｂ５のそれぞれに対して、「な」、「に」、「ぬ」、「ね」、「の」の文字を割り当てることが設定されている。例えば、第１キーユニット３ａを構成する物理キー３ａ６に対する操作が検出された場合（３ａ６＝は）には、物理キー３ｂ１、・・・、物理キー３ｂ５のそれぞれに対して、「は」、「ひ」、「ふ」、「へ」、「ほ」の文字を割り当てることが設定されている。例えば、第１キーユニット３ａを構成する物理キー３ａ７に対する操作が検出された場合（３ａ７＝ま）には、物理キー３ｂ１、・・・、物理キー３ｂ５のそれぞれに対して、「ま」、「み」、「む」、「め」、「も」の文字を割り当てることが設定されている。例えば、第１キーユニット３ａを構成する物理キー３ａ８に対する操作が検出された場合（３ａ８＝や）には、物理キー３ｂ１、物理キー３ｂ３、物理キー３ｂ５のそれぞれに対して、「や」、「ゆ」、「よ」の文字を割り当てることが設定されている。例えば、第１キーユニット３ａを構成する物理キー３ａ９に対する操作が検出された場合（３ａ９＝ら）には、物理キー３ｂ１、・・・、物理キー３ｂ５のそれぞれに対して、「ら」、「り」、「る」、「れ」、「ろ」の文字を割り当てることが設定されている。例えば、第１キーユニット３ａを構成する物理キー３ａ１０に対する操作が検出された場合（３ａ１０＝わ）には、物理キー３ｂ１、物理キー３ｂ３、物理キー３ｂ５のそれぞれに対して、「わ」、「を」、「ん」の文字を割り当てることが設定されている。第２キーデータ９Ｄは、後述する文字入力処理において、第２キーユニット３ｂを構成する物理キー３ｂ１、・・・、物理キー３ｂ５のそれぞれに対応する出力を実行する際に利用される。図６に示す例では、第２キーデータ９Ｄにおいて、第２キーユニット３ｂを構成する物理キー３ｂ６、・・・、物理キー３ｂ１０に対して割り当てが存在しないが、上記以外の文字の他、改行、削除、変換などの編集機能などを設定してもよい。なお、物理キー３ｃ１、・・・、３ｃ３に対して、電子機器１の動作を制御するための機能が対応付けられていてよい。
【００３８】
図７を用いて、実施形態に係る第１キーデータ９Ｃの他の例を説明する。図７は、実施形態に係る第１キーデータの他の例を示す図である。図７に示すように、第１キーデータ９Ｃには、第１キーユニット３ａを構成する物理キー３ａ１、・・・、物理キー３ａ９のそれぞれに対して、「ａｂｃ」、「ｄｅｆ」、「ｇｈｉ」、「ｊｋｌ」、「ｍｎｏ」、「ｐｑｒｓ」、「ｔｕｖ」、「ｗｘｙｚ」、「．／＠」の文字を割り当てることが設定されている。図７に示す第１キーデータ９Ｃは、後述する文字入力処理において、第１キーユニット３ａを構成する物理キー３ａ１、・・・、物理キー３ａ９のそれぞれに対応する出力を実行する際に利用される。図７に示す例では、物理キー３ａ１０に対して文字の割り当てが存在しないが、上記以外の文字の他、改行、削除、変換などの編集機能などを設定してもよい。
【００３９】
図８を用いて、実施形態に係る第２キーデータ９Ｄの他の例を説明する。図８は、実施形態に係る第２キーデータの他の例を示す図である。図８に示すように、第１キーユニット３ａを構成する物理キー３ａ１に対する操作が検出された場合（３ａ１＝ａｂｃ）には、物理キー３ｂ１、・・・、物理キー３ｂ６のそれぞれに対して、「ａ」、「ｂ」、「ｃ」、「Ａ」、「Ｂ」、「Ｃ」の文字を割り当てることが設定されている。例えば、第１キーユニット３ａを構成する物理キー３ａ２に対する操作が検出された場合（３ａ２＝ｄｅｆ）には、物理キー３ｂ１、・・・、物理キー３ｂ６のそれぞれに対して、「ｄ」、「ｅ」、「ｆ」、「Ｄ」、「Ｅ」、「Ｆ」の文字を割り当てることが設定されている。例えば、第１キーユニット３ａを構成する物理キー３ａ３に対する操作が検出された場合（３ａ３＝ｇｈｉ）には、物理キー３ｂ１、・・・、物理キー３ｂ６のそれぞれに対して、「ｇ」、「ｈ」、「ｉ」、「Ｇ」、「Ｈ」、「Ｉ」の文字を割り当てることが設定されている。例えば、第１キーユニット３ａを構成する物理キー３ａ４に対する操作が検出された場合（３ａ４＝ｊｋｌ）には、物理キー３ｂ１、・・・、物理キー３ｂ６のそれぞれに対して、「ｊ」、「ｋ」、「ｌ」、「Ｊ」、「Ｋ」、「Ｌ」の文字を割り当てることが設定されている。例えば、第１キーユニット３ａを構成する物理キー３ａ５に対する操作が検出された場合（３ａ５＝ｍｎｏ）には、物理キー３ｂ１、・・・、物理キー３ｂ６のそれぞれに対して、「ｍ」、「ｎ」、「ｏ」、「Ｍ」、「Ｎ」、「Ｏ」の文字を割り当てることが設定されている。例えば、第１キーユニット３ａを構成する物理キー３ａ６に対する操作が検出された場合（３ａ６＝ｐｑｒｓ）には、物理キー３ｂ１、・・・、物理キー３ｂ８のそれぞれに対して、「ｐ」、「ｑ」、「ｒ」、「ｓ」、「Ｐ」、「Ｑ」、「Ｒ」、「Ｓ」の文字を割り当てることが設定されている。例えば、第１キーユニット３ａを構成する物理キー３ａ７に対する操作が検出された場合（３ａ７＝ｔｕｖ）には、物理キー３ｂ１、・・・、物理キー３ｂ６のそれぞれに対して、「ｔ」、「ｕ」、「ｖ」、「Ｔ」、「Ｕ」、「Ｖ」の文字を割り当てることが設定されている。例えば、第１キーユニット３ａを構成する物理キー３ａ８に対する操作が検出された場合（３ａ８＝ｗｘｙｚ）には、物理キー３ｂ１、・・・、物理キー３ｂ８のそれぞれに対して、「ｗ」、「ｘ」、「ｙ」、「ｚ」、「Ｗ」、「Ｘ」、「Ｙ」、「Ｚ」の文字を割り当てることが設定されている。例えば、第１キーユニット３ａを構成する物理キー３ａ９に対する操作が検出された場合（３ａ９＝．／＠）には、物理キー３ｂ１、物理キー３ｂ２、物理キー３ｂ３のそれぞれに対して、「．」、「／」、「＠」の文字を割り当てることが設定されている。第２キーデータ９Ｄは、後述する文字入力処理において、第２キーユニット３ｂを構成する物理キー３ｂ１、・・・、物理キー３ｂ８のそれぞれに対応する出力を実行する際に利用される。図８に示す例において、第２キーデータ９Ｄを構成する複数の物理キーの中で文字の割り当てが存在しない物理キーに対して、上記以外の文字の他、改行、削除、変換などの編集機能などを設定してもよい。
【００４０】
条件データ９Ｅは、文字入力制御プログラム９Ｂで処理を実行する各種条件が設定されている。具体的には、条件データ９Ｅには、文字入力制御プログラム９Ｂの文字入力処理の開始条件、文字入力処理の終了条件等が設定されている。
【００４１】
設定データ９Ｚは、制御プログラム９Ａにより実行される処理に用いられる情報を含む。
【００４２】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、電子機器１の動作を統括的に制御して各種の機能を実現する。
【００４３】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、物理キーユニット３、照度センサ４、近接センサ５、マイク８、カメラ１２、カメラ１３、モーションセンサ１５を含むが、これらに限定されない。
【００４４】
コントローラ１０は、制御プログラム９Ａを実行することにより、電子機器１の各種動作に関する処理を実現できる。
【００４５】
コントローラ１０は、文字入力制御プログラム９Ｂを実行することにより、電子機器１において実行される文字入力を制御する処理を実現できる。コントローラ１０は、例えば、文字入力制御プログラム９Ｂを実行することにより、第１キーユニット３ａを構成する複数の物理キーのいずれかのキーに対する操作を検出すると、操作が検出された物理キーに対応付けられている第２キーユニット３ｂを構成する複数の物理キーのそれぞれに、当該複数の物理キーに予め紐付けられている少なくとも１つの文字を割り当てる処理を実現できる。コントローラ１０は、コントローラの一例である。
【００４６】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００４７】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で電子機器１に実装されてもよい。
【００４８】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４９】
モーションセンサ１５は、電子機器１を携帯する利用者の動作を判定するための各種情報を検出できる。モーションセンサ１５は、加速度センサ、方位センサ、ジャイロスコープ、磁気センサ及び気圧センサなどを備えるセンサユニットとして構成されてよい。
【００５０】
電子機器１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、電子機器１の現在位置の演算処理をサポートする。電子機器１は、ＧＰＳ衛星以外の測位用人工衛星の信号を受信可能な受信機を備え、現在位置の演算処理を実行してもよい。バイブレータは、電子機器１の一部又は全体を振動させる。バイブレータは、振動を発生させるために、例えば、圧電素子、又は偏心モータなどを有する。電子機器１は、バッテリなど、電子機器１の機能を維持するために当然に用いられる機能部、及び電子機器１の制御を実現するために当然に用いられる制御部を実装する。
【００５１】
電子機器１は、通信ユニット６を介してクラウド上の記憶サーバにアクセスし、各種プログラム及びデータを取得してもよい。
【００５２】
図９から図１４を参照しつつ、実施形態に係る電子機器１の処理の一例を説明する。図９は、実施形態に係る文字入力処理の実行画面の一例を示す図である。図１０から図１２は、実施形態に係る文字入力処理に伴う画面遷移を示す概要図である。図１３は、実施形態に係る文字入力処理の実行画面の他の例を示す図である。図１４は、実施形態に係る文字入力処理に伴う画面遷移を示す概要図である。
【００５３】
電子機器１は、文字入力処理を実行する際、図９に示す実行画面２０をディスプレイ２Ａに表示する。実行画面２０は、テキスト表示領域２１、第１キー領域２２、及び第２キー領域２３を有する。
【００５４】
テキスト表示領域２１は、文字入力処理により入力された文字を表示する。第１キー領域２２は、領域２２ａ１、・・・、領域２２ａ１０を含んで構成される。領域２２ａ１、・・・、領域２２ａ１０は、第１キーユニット３ａを構成する物理キー３ａ１、・・・、物理キー３ａ１０に対応する領域である。領域２２ａ１、・・・、領域２２ａ１０は、図９に示すｙ軸に平行な方向に沿って、物理キー３ａ１、・・・、物理キー３ａ１０に隣接するように、１列に並んで表示される。領域２２ａ１、・・・、領域２２ａ１０は、物理キー３ａ１、・・・、物理キー３ａ１０に割り当てられている文字の画像を表示する。図９に示す例では、領域２２ａ１、・・・、領域２２ａ１０は、「あ」、「か」、「さ」、「た」、「な」、「は」、「ま」、「や」、「ら」、「わ」の文字の画像をそれぞれ表示する。第２キー領域２３は、領域２３ｂ１、・・・、領域２３ｂ１０を含んで構成される。領域２３ｂ１、・・・、領域２３ｂ１０は、第２キーユニット３ｂを構成する物理キー３ｂ１、・・・、物理キー３ｂ１０にそれぞれ対応する領域である。領域２３ｂ１、・・・、領域２３ｂ１０は、図９に示すｙ軸に平行な方向に沿って、物理キー３ｂ１、・・・、物理キー３ｂ１０に隣接するように、１列に並んで表示される。領域２２ｂ１、・・・、領域２２ｂ５は、物理キー３ｂ１、・・・、物理キー３ｂ１０に予め割り当てられている文字の中から、物理キー３ａ１、・・・、物理キー３ａ１０のうちの操作された物理キーに対応する文字の画像を表示する。
【００５５】
図１０を用いて、文字入力処理における画面遷移の一例を説明する。図１０に示すように、電子機器１は、文字入力処理の実行画面２０をディスプレイ２Ａに表示する（ステップＳ１１）。続いて、電子機器１は、物理キー３ａ３に対するタッチを検出すると、物理キー３ａ３に対応する出力を実行する（ステップＳ１２）。具体的には、電子機器１は、物理キー３ａ３に割り当てられている文字「さ」の読み上げ音声Ｍ１をスピーカ１１から出力する。
【００５６】
続いて、電子機器１は、物理キー３ａ３が押下されると、物理キー３ａ３に対応する出力を実行する（ステップＳ１３）。具体的には、電子機器１は、物理キー３ａ３に対応付けられている物理キー３ｂ１、・・・、物理キー３ｂ５のそれぞれに、物理キー３ｂ１、・・・、物理キー３ｂ５に予め紐付けられている少なくとも１つの文字を割り当てる。例えば、物理キー３ｂ１、・・・、物理キー３ｂ５のそれぞれに対して、「さ」、「し」、「す」、「せ」、「そ」の文字を割り当て、物理キー３ｂ１、・・・、物理キー３ｂ５のそれぞれに対応する領域２３ｂ１、・・・、領域２３ｂ５に、「さ」、「し」、「す」、「せ」、「そ」の文字の画像を表示させる。
【００５７】
続いて、電子機器１は、物理キー３ｂ３に対するタッチを検出すると、物理キー３ｂ３に対応する出力を実行する（ステップＳ１４）。具体的には、電子機器１は、物理キー３ｂ３に割り当てられている文字「す」の読み上げ音声Ｍ２をスピーカ１１から出力する。
【００５８】
続いて、電子機器１は、物理キー３ｂ３が押下されると、物理キー３ｂ３に対応する出力を実行する（ステップＳ１５）。具体的には、電子機器１は、物理キー３ｂ３に割り当てられている文字「す」の入力を確定し、テキスト表示領域２１に表示させる。
【００５９】
上記ステップＳ１２において、電子機器１は、他の物理キーへのタッチ、物理キーの押下を検出しない間、物理キーに割り当てられている文字の読み上げ音声の出力を最初の読み上げから一定時間経過ごとに繰り返し実行してもよい。物理キーに対して、改行、削除、変換などの編集機能が割り当てられている場合には、対応する編集機能の内容に対応する読み上げ音声を出力してよい。上記ステップＳ１２において、電子機器１は、物理キーに対して、文字及び編集機能の割り当てが存在しない場合には、何も処理を行わなくてもよいし、バイブレータによる報知、割り当てがない旨の読み上げ音声の出力、ブザー音による報知などを実行してもよい。あるいは、電子機器１は、文字及び編集機能の割り当てが存在しない物理キーについては、押下ができないような機構にしてもよい。
【００６０】
上記ステップＳ１３において、電子機器１は、物理キーの押下を検出した場合、バイブレータの振動、若しくはスピーカ１１からの効果音の出力によるフィードバックを実行してもよい。上記ステップＳ１３において、物理キー３ｂ１、・・・、物理キー３ｂ５が、操作面に点字パターンを表出可能な物理機構を備える場合、電子機器１は、物理キー３ａ３に対応付けられている物理キー３ｂ１、・・・、物理キー３ｂ５のそれぞれに、物理キー３ｂ１、・・・、物理キー３ｂ５に予め紐付けられている少なくとも１つの文字を割り当てる際、それぞれの文字に対応する点字パターンを表出させてもよい。
【００６１】
上記図１０の説明において、電子機器１は、スピーカ１１を介して、文字の読み上げ音声を出力する際に、対応する文字の画像をディスプレイ２Ａにおいて強調表示してもよい。電子機器１は、文字の読み上げ音声の出力は実行せずに、ディスプレイ２Ａに対して、対応する文字の画像の強調表示のみを実行してもよい。電子機器１は、物理キーがタッチされた場合と、物理キーが押下された場合とで、ディスプレイ２Ａに表示されている文字の画像の表示態様を変更してもよい。
【００６２】
図１１を用いて、文字入力処理における画面遷移の他の例を説明する。図１１に示すように、電子機器１は、文字入力処理の実行画面２０をディスプレイ２Ａに表示する（ステップＳ２１）。続いて、電子機器１は、物理キー３ａ３に対するタッチを検出すると、物理キー３ａ３に対応する出力を実行する（ステップＳ２２）。具体的には、電子機器１は、物理キー３ａ３に割り当てられている文字「さ」の読み上げ音声Ｍ１をスピーカ１１から出力する。さらに、電子機器１は、物理キー３ａ３に対応付けられている物理キー３ｂ１、・・・、物理キー３ｂ５のそれぞれに、「さ」、「し」、「す」、「せ」、「そ」の文字を割り当て、物理キー３ｂ１、・・・、物理キー３ｂ５のそれぞれに対応する領域２３ｂ１、・・・、領域２３ｂ５に、「さ」、「し」、「す」、「せ」、「そ」の文字を表示させる。さらに、電子機器１は、タッチが検出された物理キー３ａ３に割り当てられている文字「さ」を、入力候補として仮決定する。
【００６３】
続いて、電子機器１は、物理キー３ａ３が押下されると、物理キー３ａ３に対応する出力を実行する（ステップＳ２３）。具体的には、電子機器１は、入力候補として仮決定していた文字「さ」の入力を確定し、テキスト表示領域２１に表示させる。
【００６４】
図１２を用いて、文字入力処理における画面遷移の他の例を説明する。図１２に示すように、電子機器１は、文字入力処理の実行画面２０をディスプレイ２Ａに表示する（ステップＳ３１）。続いて、電子機器１は、物理キー３ａ２に対するタッチを検出すると、物理キー３ａ２に対応する出力を実行する（ステップＳ３２）。具体的には、電子機器１は、物理キー３ａ２に割り当てられている文字「か」の読み上げ音声Ｍ３をスピーカ１１から出力する。さらに、電子機器１は、物理キー３ａ２に対応付けられている物理キー３ｂ１、・・・、物理キー３ｂ５のそれぞれに、「か」、「き」、「く」、「け」、「こ」の文字を割り当て、物理キー３ｂ１、・・・、物理キー３ｂ５のそれぞれに対応する領域２３ｂ１、・・・、領域２３ｂ５に、「か」、「き」、「く」、「け」、「こ」の文字を表示させる。さらに、電子機器１は、タッチが検出された物理キー３ａ２に割り当てられている文字「か」を、入力候補として仮決定する。
【００６５】
続いて、電子機器１は、入力候補として仮決定した物理キー３ａ２の押下が検出されない状態で、物理キー３ｂ３に対する新たなタッチを検出すると、物理キー３ｂ３に対応する出力を実行する（ステップＳ３３）。具体的には、電子機器１は、物理キー３ｂ３に割り当てられている文字「く」の読み上げ音声Ｍ４をスピーカ１１から出力する。
【００６６】
続いて、電子機器１は、物理キー３ｂ３が押下されると、物理キー３ｂ３に対応する出力を実行する（ステップＳ３４）。具体的には、電子機器１は、入力候補である文字「か」の仮決定を取り消して、物理キー３ｂ３に割り当てられている文字「く」の入力を確定し、テキスト表示領域２１に表示させる。
【００６７】
続いて、電子機器１は、物理キー３ｂ３に対するタッチが継続されている状態で、物理キー３ａ１に対するタッチを検出すると、物理キー３ｂ３に対するタッチ及び物理キー３ａ１に対するタッチに対応する出力を実行する（ステップＳ３５）。具体的には、電子機器１は、物理キー３ａ１に対応付けられている物理キー３ｂ１、・・・、物理キー３ｂ５のそれぞれに、「あ」、「い」、「う」、「え」、「お」の文字を割り当て、物理キー３ｂ１、・・・、物理キー３ｂ５のそれぞれに対応する領域２３ｂ１、・・・、領域２３ｂ５に、「あ」、「い」、「う」、「え」、「お」の文字を表示させる。電子機器１は、タッチが継続されている物理キー３ｂ３に割り当てられている文字「う」の読み上げ音声Ｍ５をスピーカ１１から出力する。さらに、電子機器１は、タッチが継続されている物理キー３ｂ３に割り当てられている文字「う」を、入力候補として仮決定する。
【００６８】
続いて、電子機器１は、物理キー３ｂ３が押下されると、物理キー３ｂ３に対応する出力を実行する（ステップＳ３６）。具体的には、電子機器１は、入力候補として仮決定していた文字「う」の入力を確定し、テキスト表示領域２１に表示させる。
【００６９】
図１３を用いて、実施形態に係る文字入力処理の実行画面の他の例を説明する。図１３に示す実行画面２０は、以下に説明する点が、図９に示す実行画面２０とは異なる。すなわち、図１３に示す例では、第１キー領域２２が含む領域２２ａ１、・・・、領域２２ａ９は、「ａｂｃ」、「ｄｅｆ」、「ｇｈｉ」、「ｊｋｌ」、「ｍｎｏ」、「ｐｑｒｓ」、「ｔｕｖ」、「ｗｘｙｚ」、「．／＠」の文字の画像をそれぞれ表示する。第２キー領域２３が含む領域２２ｂ１、・・・、領域２２ｂ８は、物理キー３ｂ１、・・・、物理キー３ｂ８に予め割り当てられている文字の中から、第１キーユニット３ａに対する操作に応じた文字の画像を表示する。
【００７０】
図１４を用いて、文字入力処理における画面遷移の他の例を説明する。図１４に示すように、電子機器１は、文字入力処理の実行画面２０をディスプレイ２Ａに表示する（ステップＳ４１）。続いて、電子機器１は、物理キー３ａ１に対するタッチを検出すると、物理キー３ａ１に対応する出力を実行する（ステップＳ４２）。具体的には、電子機器１は、物理キー３ａ１に割り当てられている文字「ａｂｃ」の読み上げ音声Ｍ６をスピーカ１１から出力する。
【００７１】
続いて、電子機器１は、物理キー３ａ１が押下されると、物理キー３ａ１に対応する出力を実行する（ステップＳ４３）。具体的には、電子機器１は、物理キー３ａ１に対応付けられている物理キー３ｂ１、・・・、物理キー３ｂ６のそれぞれに、物理キー３ｂ１、・・・、物理キー３ｂ６に予め紐付けられている少なくとも１つの文字を割り当てる。例えば、物理キー３ｂ１、・・・、物理キー３ｂ６のそれぞれに対して、「ａ」、「ｂ」、「ｃ」、「Ａ」、「Ｂ」、「Ｃ」の文字を割り当て、物理キー３ｂ１、・・・、物理キー３ｂ６のそれぞれに対応する領域２３ｂ１、・・・、領域２３ｂ６に、「ａ」、「ｂ」、「ｃ」、「Ａ」、「Ｂ」、「Ｃ」の文字の画像を表示させる。
【００７２】
続いて、電子機器１は、物理キー３ｂ３に対するタッチを検出すると、物理キー３ｂ３に対応する出力を実行する（ステップＳ４４）。具体的には、電子機器１は、物理キー３ｂ３に割り当てられている文字「ｃ  小文字」の読み上げ音声Ｍ７をスピーカ１１から出力する。
【００７３】
続いて、電子機器１は、物理キー３ｂ３が押下されると、物理キー３ｂ３に対応する出力を実行する（ステップＳ４５）。具体的には、電子機器１は、物理キー３ｂ３に割り当てられている文字「ｃ」の入力を確定し、テキスト表示領域２１に表示させる。
【００７４】
電子機器１は、図１４に示す英文字の入力の場合も、上記図１１に示す例と同様の処理、及び上記図１２に示す例と同様の処理を実行できる。
【００７５】
上記図１０から図１２、及び図１４において、電子機器１は、筐体の縁などに沿って複数の物理キーを配置することにより、従来の文字入力を操作性の面で改善できる。
【００７６】
上記図１０から図１２、及び図１４において、電子機器１は、押下が検出された物理キーに対応する文字の入力を確定させる例を説明したが、文字入力の確定させる機能が割り当てられている物理キーの押下によって、文字入力を確定させてもよい。上記図１０から図１２、及び図１４において、電子機器１は、タッチが検出された物理キーに対応する出力を実行した後、押下が検出された物理キーに対応する出力、すなわち、押下が検出された物理キーに対応する文字の入力を実行する例を説明したが、この例には限定されるものではなく、押下が検出された物理キーに対応する文字の入力のみを実行するように処理が構成されてもよい。上記図１０から図１２、及び図１４において、電子機器１は、物理キーに割り当てられている文字の読み上げ音声を出力しなくてもよい。上記実施形態において、電子機器１は、物理キーの押下によって入力が確定された文字を、ディスプレイ２Ａに表示出力させない構成であってもよい。
【００７７】
図１５を用いて、実施形態に係る電子機器により実行される処理の流れを説明する。図１５は、実施形態に係る電子機器により実行される処理の流れの一例を示すフローチャートである。図１５に示す処理は、コントローラ１０が、文字入力制御プログラム９Ｂを実行することにより実現される。図１５の説明において、物理キー３ａｍは、第１キーユニット３ａを構成する物理キー３ａ１、・・・、物理キー３ａ１０に対応する。図１５の説明において、物理キー３ｂｎは、第２キーユニット３ｂを構成する物理キー３ｂ１、・・・、物理キー３ｂ１０に対応する。
【００７８】
図１５に示すように、コントローラ１０は、第１キーユニット３ａのいずれかの物理キー３ａｍへのタッチを検出したかを判定する（ステップＳ１０１）。
【００７９】
コントローラ１０は、判定の結果、物理キー３ａｍへのタッチを検出した場合（ステップＳ１０１，Ｙｅｓ）、タッチを検出した物理キー３ａｍに対応する出力を実行する（ステップＳ１０２）。
【００８０】
続いて、コントローラ１０は、物理キー３ａｍの押下を検出したかを判定する（ステップＳ１０３）。
【００８１】
コントローラ１０は、判定の結果、物理キー３ａｍの押下を検出した場合（ステップＳ１０３，Ｙｅｓ）、押下を検出した物理キー３ａｍに対応する出力を実行し（ステップＳ１０４）、上記ステップＳ１０１の処理手順に戻る。
【００８２】
上記ステップＳ１０３において、コントローラ１０は、判定の結果、物理キー３ａｍの押下を検出しない場合（ステップＳ１０３，Ｎｏ）、上記ステップＳ１０１の処理手順に戻る。
【００８３】
上記ステップＳ１０１において、コントローラ１０は、判定の結果、物理キー３ａｍへのタッチを検出しない場合（ステップＳ１０１，Ｎｏ）、第２キーユニット３ｂのいずれかの物理キー３ｂｎへのタッチを検出したかを判定する（ステップＳ１０５）。
【００８４】
コントローラ１０は、判定の結果、物理キー３ｂｎへのタッチを検出した場合（ステップＳ１０５，Ｙｅｓ）、タッチを検出した物理キー３ｂｎに対応する出力を実行する（ステップＳ１０６）。
【００８５】
続いて、コントローラ１０は、物理キー３ｂｎの押下を検出したかを判定する（ステップＳ１０７）。
【００８６】
コントローラ１０は、判定の結果、物理キー３ｂｎの押下を検出した場合（ステップＳ１０７，Ｙｅｓ）、押下を検出した物理キー３ｂｎに対応する出力を実行し（ステップＳ１０８）、上記ステップＳ１０１の処理手順に戻る。
【００８７】
上記ステップＳ１０７において、コントローラ１０は、判定の結果、物理キー３ｂｎの押下を検出しない場合（ステップＳ１０７，Ｎｏ）、上記ステップＳ１０１の処理手順に戻る。
【００８８】
上記ステップＳ１０５において、コントローラ１０は、判定の結果、物理キー３ｂｎへのタッチを検出しない場合（ステップＳ１０５，Ｎｏ）、第１キーユニット３ａ及び第２キーユニット３ｂ以外へのタッチを検出したかを判定する（ステップＳ１０９）。
【００８９】
コントローラ１０は、判定の結果、第１キーユニット３ａ及び第２キーユニット３ｂ以外へのタッチを検出した場合（ステップＳ１０９，Ｙｅｓ）、図１５に示す処理を終了する。これとは反対に、コントローラ１０は、判定の結果、第１キーユニット３ａ及び第２キーユニット３ｂ以外へのタッチを検出しない場合（ステップＳ１０９，Ｎｏ）、上記ステップＳ１０１の処理手順に戻る。
【００９０】
上記の実施形態において、電子機器１は、筐体の縁などに沿って配置した複数の物理キーを介して利用者の操作を受け付けることにより、従来の文字入力を操作性の面で改善できる。
【００９１】
図１６及び図１７は、実施形態に係る電子機器が備える複数の物理キーの他の配置例を示す図である。電子機器１は、複数の物理キーをいくつかのグループに分けて配置してもよい。図１６に示す例では、電子機器１は、物理キー３ａ３と物理キー３ａ４と間に空間５０ａを設けるとともに、物理キー３ａ６と物理キー３ａ７との間に空間５０ｂを設ける。さらに、電子機器１は、物理キー３ｂ３と物理キー３ｂ４との間に空間５０ｃを設けるとともに、物理キー３ｂ６と物理キー３ｂ７との間に空間５０ｄを設ける。これにより、電子機器１は、第１キーユニット３ａが備える複数の物理キー３ａ１〜３ａ１０を、物理キー３ａ１〜３ａ３のグループと、物理キー３ａ４〜３ａ６のグループと、物理キー３ａ７〜３ａ１０とに分けて配置するとともに、第２キーユニット３ｂが備える複数の物理キー３ｂ１〜３ｂ１０を、物理キー３ｂ１〜３ｂ３のグループと、物理キー３ｂ４〜３ｂ６のグループと、物理キー３ｂ７〜３ｂ１０とに分けて配置する。
【００９２】
図１７に示す例では、電子機器１は、物理キー３ａ３と物理キー３ａ４との間に間仕切り６０ａを設けるとともに、物理キー３ａ６と物理キー３ａ７との間に間仕切り６０ｂを設ける。さらに、電子機器１は、物理キー３ｂ３と物理キー３ｂ４との間に間仕切り６０ｃを設けるとともに、物理キー３ｂ６と物理キー３ｂ７との間に間仕切り６０ｄを設ける。これにより、電子機器１は、第１キーユニット３ａが備える複数の物理キー３ａ１〜３ａ１０を、物理キー３ａ１〜３ａ３のグループと、物理キー３ａ４〜３ａ６のグループと、物理キー３ａ７〜３ａ１０のグループとに分けて配置するとともに、第２キーユニット３ｂが備える複数の物理キー３ｂ１〜３ｂ１０を、物理キー３ｂ１〜３ｂ３のグループと、物理キー３ｂ４〜３ｂ６のグループと、物理キー３ｂ７〜３ｂ１０のグループとに分けて配置する。
【００９３】
図１８及び図１９は、実施形態に係る電子機器が備える物理キーの操作面に関する他の構造例を示す図である。電子機器１が備える複数の物理キーの中から物理キー３ａ１の操作面を例示する。図１８に示す例では、電子機器１は、例えば、物理キー３ａ１の操作面（利用者が触れて操作する面）に点字パターンを表出させる６つの突起部７０ａ〜７０ｆを備える。突起部７０ａ〜７０ｆは、アクチュエーター等により表面に突出させること、及び内部に収納させることが可能な状態で設置される。図１８に示す６つの突起部７０ａ〜７０ｆは、利用者の操作により入力が確定し、例えば、図１０に示す実行画面２０のテキスト表示領域２１に表示される文字に合わせて突出する。利用者は、物理キーの表面に触れることで、入力された文字を確認できる。物理キー３ａ１は、点字を読み取る場合の一般的な横方向の指の動きに合わせて、図１８に示す例から９０度回転した状態で設置されてもよい。
【００９４】
図１９に示す例では、電子機器１は、物理キー３ａ１の操作面を２つの領域８０ａ及び領域８０ｂに分けるように、物理キー３ａ１の長手方向に平行な線状の間仕切り９０を物理キー３ａ１の操作面に設ける。図１９に示す物理キー３ａ１では、電子機器１は、物理キー３ａ１の操作面の２つの領域８０ａ及び領域８０ｂのうち、どちらの領域にタッチが検出されたかによって、処理内容を変更することができる。
【００９５】
図２０を用いて、電子機器１の機能構成の他の例を説明する。図２０は、実施形態に係る電子機器の機能構成の他の例を示す図である。上記の実施形態では、電子機器１は、物理キーユニット３を内部に備える例（図１参照）を説明したが、物理キーユニット３を外付け可能な個別のユニットとして構成することもできる。図２０に示すように、電子機器１は、通信ユニット６を介して、外付け物理キーユニット１００と通信可能な状態で接続する。外付け物理キーユニット１００は、例えば、通信ユニット１０１、メモリ１０２、物理キーユニット１０３、及びマイコン１０４を備える。物理キーユニット１０３は、第１キーユニット１０３ａ、第２キーユニット１０３ｂ、第３キーユニット１０３ｃ、及びタッチスクリーン１０３ｄを有する。電子機器１は、通信ユニット６を介して、外付け物理キーユニット１００に対する利用者の操作の情報を受信し、上記の実施形態と同様の処理を実行できる。
【００９６】
図２１〜図２８は、実施形態に係る電子機器の他の構造例を示す図である。図２１及び図２２に示すように、電子機器１は、筐体１ｈの側面に、複数の物理キー３ａ１〜３ａ３を配置した構造であってもよい。
【００９７】
また、図２３に示すように、電子機器１は、利用者の操作面に複数の物理キーのみを配置した構造であってもよい。また、図２４に示すように、電子機器１は、利用者の操作面にタッチスクリーン２Ｂ及び複数の物理キーのみを配置した構造であってもよい。また、図２５に示すように、電子機器１は、利用者の操作面に複数の物理キー及びテンキー２００のみを配置した構造であってもよい。また、図２６及び図２７に示すように、電子機器１は、略円形状の形態をなし、内部にタッチスクリーンディスプレイ２を配置するとともに、構造体の外周部に物理キーを配置した構造体であってもよい。また、図２８に示すように、電子機器１は、略円柱状の形態をなし、上面にタッチスクリーンディスプレイ２を配置し、側面に複数の物理キーを配置した構造体であってもよい。
【００９８】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００９９】
１  電子機器
２  タッチスクリーンディスプレイ
２Ａ  ディスプレイ
２Ｂ  タッチスクリーン
３  物理キーユニット
３ａ  第１キーユニット
３ｂ  第２キーユニット
３ｃ  第３キーユニット
３ｄ  タッチスクリーン
４  照度センサ
５  近接センサ
６  通信ユニット
７  レシーバ
８  マイク
９  ストレージ
９Ａ  制御プログラム
９Ｂ  文字入力制御プログラム
９Ｃ  第１キーデータ
９Ｄ  第２キーデータ
９Ｅ  条件データ
９Ｚ  設定データ
１０  コントローラ
１１  スピーカ
１２  カメラ
１３  カメラ
１４  コネクタ
１５  モーションセンサ
１００  外付け物理キーユニット
【図１】
2020057444.tif 000003
【図２】
2020057444.tif 000004
【図３】
2020057444.tif 000005
【図４】
2020057444.tif 000006
【図５】
2020057444.tif 000007
【図６】
2020057444.tif 000008
【図７】
2020057444.tif 000009
【図８】
2020057444.tif 000010
【図９】
2020057444.tif 000011
【図１０】
2020057444.tif 000012
【図１１】
2020057444.tif 000013
【図１２】
2020057444.tif 000014
【図１３】
2020057444.tif 000015
【図１４】
2020057444.tif 000016
【図１５】
2020057444.tif 000017
【図１６】
2020057444.tif 000018
【図１７】
2020057444.tif 000019
【図１８】
2020057444.tif 000020
【図１９】
2020057444.tif 000021
【図２０】
2020057444.tif 000022
【図２１】
2020057444.tif 000023
【図２２】
2020057444.tif 000024
【図２３】
2020057444.tif 000025
【図２４】
2020057444.tif 000026
【図２５】
2020057444.tif 000027
【図２６】
2020057444.tif 000028
【図２７】
2020057444.tif 000029
【図２８】
2020057444.tif 000030
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
筐体と、
前記筐体の第１の縁に沿って並ぶ複数の第１の物理キーと、
前記筐体の第２の縁に沿って並ぶ複数の第２の物理キーと、
５０音図の各行を複数の前記第１の物理キーのそれぞれに割り当て、前記第１の物理キーに対する操作を検出すると、検出した前記第１の物理キーに対応する行の各段の仮名を、複数の前記第２の物理キーのそれぞれに割り当てるコントローラと、
を備える電子機器。
【請求項２】
筐体と、
前記筐体の第１の縁に沿って並ぶ複数の第１の物理キーと、
前記筐体の第２の縁に沿って並ぶ複数の第２の物理キーと
を備える電子機器が実行する文字入力制御方法であって、
５０音図の各行を複数の前記第１の物理キーのそれぞれに割り当て、前記第１の物理キーに対する操作を検出すると、検出した前記第１の物理キーに対応する行の各段の仮名を、複数の前記第２の物理キーのそれぞれに割り当てるステップを含む文字入力制御方法。
【請求項３】
筐体と、
前記筐体の第１の縁に沿って並ぶ複数の第１の物理キーと、
前記筐体の第２の縁に沿って並ぶ複数の第２の物理キーと
を備える電子機器に、
５０音図の各行を複数の前記第１の物理キーのそれぞれに割り当て、前記第１の物理キーに対する操作を検出すると、検出した前記第１の物理キーに対応する行の各段の仮名を、複数の前記第２の物理キーのそれぞれに割り当てるステップを実行させる文字入力制御プログラム。